(57)【要約】【課題】患者が心電図の検査結果を容易に理解することができる心電図解析レポートを提供すること。【解決手段】心電図解析レポート（８００）は、被検者から取得された心電図を解析する解析装置によって作成され、解析結果を１枚の用紙または１画面に表示する心電図解析レポートであって、取得された心電図の統計を表示する心拍情報表示部（８２０）と、心電図の波形を表示するグラフ表示部（８３０）とを有する。グラフ表示部（８３０）は、上段の行動記録表示欄８３１に、横方向に伸びる時間軸を表示し、中段の心拍表示欄８３３に、心拍のトレンドグラフを時間軸に対応付けて表示し、下段の上室期外収縮表示欄８３４、心室期外収縮表示欄８３５、およびＳＴ変化表示欄８３６に、心電図の拡大波形（８３４ｃ、８３５ｃ、８３６ｃ）を表示する画像である。【選択図】図７
2010233953.tif 000002
【特許請求の範囲】
【請求項１】
被検者から取得された心電図を解析する解析装置によって作成され、解析結果を１枚の用紙または１画面に表示する心電図解析レポートであって、
前記心電図の統計を表示する統計表示部と、
前記心電図の波形を表示する波形表示部と、を有し、
前記波形表示部は、
上段に、横方向に伸びる時間軸を表示し、中段に、心拍のトレンドグラフを前記時間軸に対応付けて表示し、下段に、前記心電図の拡大波形を表示する、
心電図解析レポート。
【請求項２】
前記波形表示部は、
前記下段に、前記拡大波形に対応する拡大波形時刻を前記時間軸に対応付けて表示し、前記中段に、前記被検者がイベントボタンを押下したイベント時刻を前記時間軸に対応付けて表示する、
請求項１記載の心電図解析レポート。
【請求項３】
前記波形表示部は、
上室期外収縮、心室期外収縮、およびＳＴ変化のうち少なくとも１つの現象が発生した時刻の前記心電図の拡大波形を含む不整脈波形と、最大心拍数、最小心拍数、およびＳＴ最小値のうち少なくとも１つの現象が発生した時刻の前記心電図の拡大波形を含む正常心電図波形と、のうち少なくとも１つの波形を前記現象の種類ごとに表示し、かつ、前記不整脈波形および前記正常心電図波形の両方を表示するとき、前記正常心電図波形を前記不整脈波形の下側または右側に表示する、
請求項２記載の心電図解析レポート。
【請求項４】
前記波形表示部は、
前記不整脈波形として複数の前記拡大波形を表示するとき、上室期外収縮、心室期外収縮、ＳＴ変化の順序で表示する、
請求項３記載の心電図解析レポート。
【請求項５】
前記波形表示部は、
前記正常心電図波形として複数の前記拡大波形を表示するとき、最大心拍数、最小心拍数、ＳＴ最小値の順序で表示する、
請求項３記載の心電図解析レポート。
【請求項６】
前記統計は、総心拍数、平均心拍数、最大心拍数、最小心拍数、上室期外収縮回数、心室期外収縮回数、ＳＴ変化回数、およびイベントボタン押下回数のうち、少なくとも１つを含み、
前記統計表示部は、
総心拍数、平均心拍数、最大心拍数、および最小心拍数のうち少なくとも１つを含む心拍統計と、上室期外収縮回数、心室期外収縮回数、およびＳＴ変化回数のうち少なくとも１つを含む不整脈統計と、を表示するとき、前記心拍統計を、前記不整脈統計の上側または左側に表示する、
請求項５記載の心電図解析レポート。
【請求項７】
前記統計表示部は、
前記不整脈統計として複数の前記統計を表示するとき、上室期外収縮回数、心室期外収縮回数、ＳＴ変化回数の順序で表示する、
請求項６記載の心電図解析レポート。
【請求項８】
前記統計表示部は、
前記心拍統計として複数の前記統計を表示するとき、総心拍数、平均心拍数、最大心拍数、最小心拍数の順序で表示する、
請求項６記載の心電図解析レポート。
【請求項９】
前記波形表示部は、
前記上段に、前記被検者の行動記録を、前記時間軸に対応付けて表示し、前記下段に、前記現象の発生頻度を示すヒストグラムを、前記時間軸および前記拡大波形に対応付けて表示する、
請求項３記載の心電図解析レポート。
【請求項１０】
前記波形表示部を、前記統計表示部の右側または下側に配置する、
請求項１記載の心電図解析レポート。
【請求項１１】
表示の対象となる情報を、それぞれの重要度に応じた色を用いて表示する、
請求項１記載の心電図解析レポート。
【請求項１２】
前記解析結果の識別情報を表示する識別情報表示部と、心臓の構造を示す画像または心電図に関するコメント文章を表示する付加情報表示部と、の少なくとも１つを更に有する、
請求項１記載の心電図解析レポート。
【請求項１３】
被検者から取得された心電図の解析結果を１枚の用紙または１画面に表示する心電図解析レポートを生成する心電図解析装置であって、
前記心電図から、前記心電図の統計を取得する解析手段と、
取得された前記統計を表示する統計表示部と、前記心電図の拡大波形を表示する波形表示部とを、１枚の用紙または１画面に配置した画像を、前記心電図解析レポートとして生成する画像構成手段と、を有し、
前記波形表示部は、上段に、横方向に伸びる時間軸を表示し、中段に、心拍のトレンドグラフを前記時間軸に対応付けて表示し、下段に、前記心電図の拡大波形を表示する画像である、
心電図解析装置。
【請求項１４】
被検者から取得された心電図の解析結果を１枚の用紙または１画面に表示する心電図解析レポートを生成する心電図解析方法であって、
前記心電図から、前記心電図の統計を取得するステップと、
取得された前記統計を表示する統計表示部と、前記心電図の拡大波形を表示する波形表示部とを、１枚の用紙または１画面に配置した画像を、前記心電図解析レポートとして生成するステップと、を有し、
前記波形表示部は、上段に、横方向に伸びる時間軸を表示し、中段に、心拍のトレンドグラフを前記時間軸に対応付けて表示し、下段に、前記心電図の拡大波形を表示する画像である、
心電図解析方法。
【請求項１５】
コンピュータに対して、被検者から取得された心電図の解析結果を１枚の用紙または１画面に表示する心電図解析レポートを生成させる心電図解析プログラムであって、
前記心電図から、前記心電図の統計を取得する処理と、
取得された前記統計を表示する統計表示部と、前記心電図の拡大波形を表示する波形表示部とを、１枚の用紙または１画面に配置した画像を、前記心電図解析レポートとして生成する処理と、を前記コンピュータに対して実行させ、
前記波形表示部は、上段に、横方向に伸びる時間軸を表示し、中段に、心拍のトレンドグラフを前記時間軸に対応付けて表示し、下段に、前記心電図の拡大波形を表示する画像である、
心電図解析プログラム。
【発明の詳細な説明】
【技術分野】
【０００１】
本発明は、心電図解析レポート、心電図解析装置、心電図解析方法、および心電図解析プログラムに関する。
【背景技術】
【０００２】
ホルター心電図検査は、患者の日常生活時の心電図を、長時間（例えば、２４時間）にわたって記録することにより行われる検査である。この検査は、主に、安静時心電図検査では見付けることが困難な心疾患を発見するために実施される。
【０００３】
ホルター心電図の測定結果は、心電図解析装置によって解析され、ホルター心電図検査の報告書（以下「心電図解析レポート」という）にまとめられる。
【０００４】
図１および図２は、従来の心電図解析レポートの一例である。従来の心電図解析レポートは、解析の対象や目的が異なる複数のページから構成される。図３は、これら複数のページの中の解析結果概要ページの一例である。
【０００５】
心電図解析装置によって生成される心電図解析レポートは、特に長時間測定を行うホルター心電図測定の場合、膨大な量となる。したがって、医師は、通常、心電図解析レポートの中から、患者にとって理解し易いようなページ（例えば図３に示す解析結果概要ページ）をいくつか選び出し、説明に用いたり、説明後にそのページを患者に渡したりする。
【０００６】
ところが、心電図解析レポートは、専門用語や数字が羅列された医療従事者向けの専門性の高い内容であり、専門知識の乏しい患者やその家族にとっては難解である。
【０００７】
そこで、心電図の要部を抜粋し、その波形を拡大して表示することが、従来行われている（例えば特許文献１参照）。
【０００８】
特許文献１記載の心電図解析レポートは、被検者が自覚症状を覚えた時刻または実際に心電図に心疾患の疑いを示す異常（以下単に「異常」という）が表れた時刻の心電図を、抜粋して表示する。このような心電図解析レポートにより、患者は、自覚症状は有るが異常は無い、または自覚症状は無いが異常は有るという事実を、心電図解析レポートから容易に理解することができる。
【先行技術文献】
【特許文献】
【０００９】
【特許文献１】特開２００７−２４４５３１号公報
【発明の概要】
【発明が解決しようとする課題】
【００１０】
しかしながら、心電図の拡大波形のみからでは読み取ることが困難な異常も多く存在する。したがって、特許文献１記載の心電図解析レポートでは、患者は、上記事実については容易に理解することができるものの、異常の程度や種類といった検査結果については理解することが難しい。
【００１１】
本発明は、かかる点に鑑みてなされたもので、患者が心電図の検査結果を容易に理解することができる心電図解析レポートと、このような心電図解析レポートを作成するための心電図解析装置、心電図解析方法、および心電図解析プログラムとを提供することを目的とする。
【課題を解決するための手段】
【００１２】
本発明の心電図解析レポートは、被検者から取得された心電図を解析する解析装置によって作成され、解析結果を１枚の用紙または１画面に表示する心電図解析レポートであって、前記心電図の統計を表示する統計表示部と、前記心電図の波形を表示する波形表示部とを有し、前記波形表示部は、上段に、横方向に伸びる時間軸を表示し、中段に、心拍のトレンドグラフを前記時間軸に対応付けて表示し、下段に、前記心電図の拡大波形を表示する。
【００１３】
本発明の心電図解析装置は、被検者から取得された心電図の解析結果を１枚の用紙または１画面に表示する心電図解析レポートを生成する心電図解析装置であって、前記心電図から、前記心電図の統計を取得する解析手段と、取得された前記統計を表示する統計表示部と、前記心電図の拡大波形を表示する波形表示部とを、１枚の用紙または１画面に配置した画像を、前記心電図解析レポートとして生成する画像構成手段とを有し、前記波形表示部は、上段に、横方向に伸びる時間軸を表示し、中段に、心拍のトレンドグラフを前記時間軸に対応付けて表示し、下段に、前記心電図の拡大波形を表示する画像である。
【００１４】
本発明の心電図解析方法は、被検者から取得された心電図の解析結果を１枚の用紙または１画面に表示する心電図解析レポートを生成する心電図解析方法であって、前記心電図から、前記心電図の統計を取得するステップと、取得された前記統計を表示する統計表示部と、前記心電図の拡大波形を表示する波形表示部とを、１枚の用紙または１画面に配置した画像を、前記心電図解析レポートとして生成するステップとを有し、前記波形表示部は、上段に、横方向に伸びる時間軸を表示し、中段に、心拍のトレンドグラフを前記時間軸に対応付けて表示し、下段に、前記心電図の拡大波形を表示する画像である。
【００１５】
本発明の心電図解析プログラムは、コンピュータに対して、被検者から取得された心電図の解析結果を１枚の用紙または１画面に表示する心電図解析レポートを生成させる心電図解析プログラムであって、前記心電図から、前記心電図の統計を取得する処理と、取得された前記統計を表示する統計表示部と、前記心電図の拡大波形を表示する波形表示部とを、１枚の用紙または１画面に配置した画像を、前記心電図解析レポートとして生成する処理とを前記コンピュータに対して実行させ、前記波形表示部は、上段に、横方向に伸びる時間軸を表示し、中段に、心拍のトレンドグラフを前記時間軸に対応付けて表示し、下段に、前記心電図の拡大波形を表示する画像である。
【発明の効果】
【００１６】
本発明によれば、患者が心電図の検査結果を容易に理解することが可能となる。
【図面の簡単な説明】
【００１７】
【図１】従来の心電図解析レポートの第１の例を示す図である。
【図２】従来の心電図解析レポートの第２の例を示す図である。
【図３】従来の心電図解析レポートの第３の例を示す図である。
【図４】本発明の一実施の形態における心電図解析システムの構成の一例を示すシステム構成図である。
【図５】本実施の形態に係る心電図解析装置の構成を示すブロック図である。
【図６】本実施の形態における制御部の機能構成を示すブロック図である。
【図７】本実施の形態に係る心電図解析レポートの構成の第１の例を示す図である。
【図８】本実施の形態に係る心電図解析レポートと従来の心電図解析レポートとを比較する図である。
【図９】本実施の形態に係る心電図解析装置の動作を示すフローチャートである。
【図１０】本実施の形態における現象解析処理を示すフローチャートである。
【図１１】本実施の形態に係る心電図解析レポートの構成の第２の例を示す図である。
【図１２】本実施の形態に係る心電図解析レポートの構成の第３の例を示す図である。
【図１３】本実施の形態に係る心電図解析レポートの構成の第４の例を示す図である。
【図１４】本実施の形態に係る心電図解析レポートの構成の第５の例を示す図である。
【図１５】本実施の形態に係る心電図解析レポートの構成の第６の例を示す図である。
【図１６】本実施の形態に係る心電図解析レポートの構成の第７の例を示す図である。
【図１７】本実施の形態に係る心電図解析レポートの構成の第８の例を示す図である。
【発明を実施するための形態】
【００１８】
以下、本発明の一実施の形態について、図面を用いて詳細に説明する。
【００１９】
図４は、本発明の一実施の形態に係る心電図解析装置を用いた心電図解析システムの構成の一例を示すシステム構成図である。本実施の形態は、本発明を、ホルター心電図の解析に適用した例である。
【００２０】
図４に示すように、心電図解析システム１００は、心電図記録器２００、心電図解析装置３００、キーボード４００、ディスプレイ５００、およびプリンタ６００を有する。
【００２１】
心電図記録器２００は、被検者である患者７００に装着され、患者７００から心電図を取得する装置である。心電図記録器２００は、複数の心電図検出用電極を有し、電極を介して患者７００から取得した心電図を、内部の記録媒体に記録する。また、心電図記録器２００は、患者７００が自覚症状を覚えたときに押下するためのイベントボタンを有し、イベントボタンが押下された各時刻を内部の記録媒体に記録する（Ｓ１０００）。以下、心電図を記録したデータおよびイベントボタンの押下時刻を記録したデータを、「心電図データ」と総称する。
【００２２】
一般的に、ホルター心電図の記録には２誘導が用いられ、ｃｈ.１はＣＭ５誘導、ｃｈ.２はＮＡＳＡ誘導にそれぞれ電極を置く。しかし、ＣＭ５誘導の方がＮＡＳＡ誘導よりも波形の振幅が大きく出る傾向があり、虚血性のＳＴ変化が認められ易い。したがって、心電図記録器２００に２誘導を採用する場合には、ＣＭ５誘導のみを表示対象とすることが望ましい。また、心電図記録器２００に１２誘導を採用する場合には、同様の理由から、Ｖ５誘導のみを表示対象とすることが望ましい。
【００２３】
心電図解析装置３００は、心電図解析レポートを生成する装置である。心電図解析装置３００は、キーボード４００の操作を受けて、心電図記録器２００に記録された心電図データを入力する（Ｓ２０００）。また、心電図解析装置３００は、入力した心電図データから心電図解析レポートを生成し、生成した心電図解析レポートを、ディスプレイ５００に表示する（Ｓ３０００）。ディスプレイ５００は、例えばＬＣＤ（liquid crystal display）またはＣＲＴ（cathode ray tube）表示装置である。
【００２４】
プリンタ６００は、例えばレーザ式またはサーマルヘッド式のプリンタである。プリンタ６００は、心電図解析装置３００が生成した心電図解析レポートを入力し、入力した心電図解析レポートを紙面に印刷して、紙の心電図解析レポート（以下「結果レポート」という）を生成する（Ｓ４０００）。生成された結果レポートは、医師（図示せず）から患者７００への検査結果報告に利用される（Ｓ５０００）。
【００２５】
このような心電図解析システム１００によれば、患者７００から取得された心電図データに基づいて、紙の心電図解析レポートを生成し、このレポートを用いて検査結果報告を行うことができる。
【００２６】
心電図解析レポートの内容は、特にホルター心電図検査の場合、患者７００の検査結果報告に対する満足度に大きく影響する。ホルター心電図検査は、安静時心電図検査に比較して、心電図記録器２００の装着時間が長くかつ検査費用が高額であり、患者７００に掛かる負担が大きいからである。そこで、本実施の形態に係る心電図解析装置３００は、患者７００自身の心電図と他の有益な情報とを把握し易い配置で表示する心電図解析レポートを生成する。心電図解析レポートの詳細については後述する。
【００２７】
図５は、心電図解析装置３００の構成を示すブロック図である。
【００２８】
図５において、心電図解析装置３００は、制御部３１０、キーボードインタフェース（以下「Ｉ／Ｆ」と略記する）３２０、記録器Ｉ／Ｆ３３０、記憶部３４０、ディスプレイＩ／Ｆ３５０、及びプリンタＩ／Ｆ３６０を有する。
【００２９】
本発明の解析手段及び作成手段としての制御部３１０は、例えば、ＣＰＵ（central processing unit）と、ＣＰＵにより実行する心電図解析プログラムを記憶する記憶装置とにより構成される。この場合、制御部３１０は、心電図解析プログラムを実行することにより、後述する心電図解析レポートの作成を実現する。
【００３０】
キーボードＩ／Ｆ３２０は、キーボード４００と心電図解析装置３００とを通信可能に接続するＩ／Ｆである。
【００３１】
記録器Ｉ／Ｆ３３０は、心電図記録器２００と心電図解析装置３００とを通信可能に接続するＩ／Ｆである。なお、心電図記録器２００から心電図解析装置３００への心電図データの入力は、着脱可能な汎用の記録媒体を用いて行われてもよい。この場合には、記録器Ｉ／Ｆ３３０は、この記録媒体から情報を読み出すＩ／Ｆとすればよい。
【００３２】
記憶部３４０は、例えば、ハードディスクドライブや半導体記憶装置等により構成される記憶装置である。記憶部３４０、制御部３１０によって格納された心電図データを保持する。また、記憶部３４０は、心電図解析レポートを構成するのに必要な画像データ、テキストデータ、配置データ等の各種データ（以下「レポート構成データ」という）を予め格納する。
【００３３】
ディスプレイＩ／Ｆ３５０は、ディスプレイ５００と心電図解析装置３００とを通信可能に接続するＩ／Ｆである。
【００３４】
プリンタＩ／Ｆ３６０は、プリンタ６００と心電図解析装置３００とを通信可能に接続するＩ／Ｆである。
【００３５】
心電図解析装置３００とディスプレイ５００およびプリンタ６００との間のデータの受け渡しは、例えば、有線通信または無線通信によって行われる。
【００３６】
次に、制御部３１０の機能構成について説明する。
【００３７】
図６は、心電図解析プログラムを実行しているときの制御部３１０の機能構成を示すブロック図である。
【００３８】
図６に示すように、制御部３１０は、心電図取得部３１１、解析部３１２、および画像構成部３１３を有する。
【００３９】
心電図取得部３１１は、キーボードＩ／Ｆ３２０を介して、医師等のオペレータによるキーボード４００の操作を受け付ける。そして、心電図取得部３１１は、キーボード４００の操作に従って、記録器Ｉ／Ｆ３３０を介して患者７００の心電図データを心電図記録器２００から取得し、取得した心電図データを記憶部３４０に格納する。
【００４０】
解析部３１２は、記憶部３４０に格納された心電図データから、検査および解析の対象となる時間（以下「解析対象時間」という）における患者７００の総心拍数、平均心拍数、最大心拍数、最小心拍数、上室期外収縮回数、心室期外収縮回数、ＳＴ変化回数、およびイベントボタン押下回数のうち、少なくとも１つを、心拍情報として取得する。心拍情報は、つまり、解析対象時間の心電図データの統計である。
【００４１】
また、解析部３１２は、心電図データから、心疾患の発見において注目すべき所定の現象が発生しているか否かを解析し、解析結果に基づいて、どの現象に関する情報を表示するかを決定する。そして、解析部３１２は、所定の現象が発生した時刻を、現象発生時刻として取得する。
【００４２】
ここでは、所定の現象は、不整脈を示す上室期外収縮および心室期外収縮、並びにＳＴ変化、最大心拍数、最小心拍数、およびＳＴ最小値とする。なお、更に、ＳＴ最大値を、所定の現象として扱ってもよい。
【００４３】
画像構成部３１３は、記憶部３４０に格納されたレポート構成データおよび心電図データ、解析部３１２により取得された心拍情報および現象発生時刻に基づいて、心拍情報と心電図とを配置した心電図解析レポートを生成する。
【００４４】
ここで、画像構成部３１３が配置する心電図は、解析部３１２によって表示することが決定された現象に関する心電図のうち、その現象発生時刻を中心とした短い区間の部分を抜粋して波形を拡大した心電図である。以下、この拡大された心電図を、拡大波形という。
【００４５】
図７は、心電図解析レポートの構成の一例を示す図である。ここでは、ディスプレイ５００の表示画面またはプリンタ６００の印刷画面に表された状態の心電図解析レポート８００の外観を示す。
【００４６】
図７に示すように、心電図解析レポート８００は、識別情報表示部８１０、心拍情報表示部（統計表示部）８２０、グラフ表示部（波形表示部）８３０、および付加情報表示部８４０を有する。
【００４７】
心電図解析レポート８００は、画面の左上隅に識別情報表示部８１０を配置し、識別情報表示部８１０の下に心拍情報表示部８２０を配置し、心拍情報表示部８２０の右にグラフ表示部８３０を配置している。また、心電図解析レポート８００は、空いた領域である画面の左下隅に、付加情報表示部８４０を配置している。
【００４８】
識別情報表示部８１０は、心電図の記録日や患者７００の氏名等、心電図解析レポート８００の識別情報を表示する。
【００４９】
心拍情報表示部８２０は、複数の心拍情報として、総心拍数［拍］、平均心拍数［拍／分］、最大心拍数［拍／分］、最小心拍数［拍／分］、上室期外収縮（の拍数）［拍］、心室期外収縮（の拍数）［拍］、ＳＴ変化（の回数）［回］、およびイベントボタン（の押下回数）［回］を、この順序で下方向へ並べて表示する。
【００５０】
グラフ表示部８３０は、横方向の時間軸をそれぞれ有する複数のグラフ情報として、行動記録表示欄８３１、イベントボタン（の押下時刻）表示欄８３２、心拍（心拍のトレンドグラフ）表示欄８３３、上室期外収縮（の発生時の拡大波形）表示欄８３４、心室期外収縮（の発生時の拡大波形）表示欄８３５、およびＳＴ変化（の発生時の拡大波形）表示欄８３６を、この順序で下方向へ並べて表示する。
【００５１】
行動記録表示欄８３１は、解析対象時間における患者７００の食事、薬の服用、就寝、起床の時刻等を表示することにより、解析対象時間における患者７００の行動の記録を示す。行動記録は、例えば、キーボード４００操作によって入力される。行動記録は、心電図記録器２００で入力または記録され、心電図データの一部として心電図解析装置３００に入力されるようにしてもよい。また、これらの時間は、患者７００が手動で入力してもよいし、一般的な時間としてあらかじめ定めた時刻(昼食は１２時で就寝は２２時とか)を採用してもよい。
【００５２】
イベントボタン表示欄８３２は、行動記録表示欄８３１の時間軸に対応する位置に所定のマーク８３２ａを表示することにより、解析対象時間における患者７００がイベントボタンを押下した時刻を示す。イベントボタンの押下時刻を示すマーク８３２ａは、患者７００の関心が高いことから、赤色やハートマーク等の目立つ形態とすることが望ましい。
【００５３】
なお、短時間にイベントボタンが多数回押下されたような場合、個々の時刻に対応するマーク８３２ａを表示すると、画面が煩雑となる。
【００５４】
そこで、イベントボタン表示欄８３２は、マーク８３２ａの表示間隔の最小値を、画面上の距離または画面上の時間軸の時間間隔で予め設定し、この最小間隔において複数の現象発生時刻が存在する場合には、複数の現象発生時刻を代表する時刻を決定し、決定した時刻についてのみマーク８３２ａを表示する。このとき、代表時刻に置き換えられた現象発生時刻の個数に応じて、マーク８３２ａの種類や大きさを変化させてもよい。これにより、医師や患者７００にとってより見易い心電図解析レポート８００を作成することができる。また、イベントボタンの押下頻度には個人差があるが、このような個人差を極力除去した心電図解析レポート８００を作成することができる。
【００５５】
心拍表示欄８３３は、行動記録表示欄８３１の時間軸に沿って心拍数のトレンドグラフ８３３ａを表示することにより、解析対象時間における患者７００の心拍数の動向を示す。また、心拍表示欄８３３は、行動記録表示欄８３１の時間軸に対応する位置に所定のマーク８３３ｂを表示することにより、最大心拍数の発生時刻および最小心拍数の発生時刻を示す。
【００５６】
上室期外収縮表示欄８３４は、行動記録表示欄８３１の時間軸に沿って、上室期外収縮の単位時間当たりの発生個数のヒストグラム８３４ａを表示するとともに、所定のマーク８３４ｂを表示することによって上室期外収縮の発生時刻を示す。ヒストグラム８３４ａは、つまり、上室期外収縮の発生頻度を表す。
【００５７】
また、上室期外収縮表示欄８３４は、この上室期外収縮の発生時刻の拡大波形８３４ｃを表示するとともに、所定のマーク８３４ｄを表示することにより、拡大波形における上室期外収縮の発生が認められた部分を示す。
【００５８】
心室期外収縮表示欄８３５は、行動記録表示欄８３１の時間軸に沿って、心室期外収縮の単位時間当たりの発生個数のヒストグラム８３５ａを表示するとともに、所定のマーク８３５ｂを表示することによって心室期外収縮の発生時刻を示す。
【００５９】
また、心室期外収縮表示欄８３５は、この心室期外収縮の発生時刻の拡大波形８３５ｃを表示するとともに、所定のマーク８３５ｄを表示することにより、拡大波形における心室期外収縮の発生が認められた部分を示す。
【００６０】
ＳＴ変化表示欄８３６は、行動記録表示欄８３１の時間軸に沿って、ＳＴ変化の単位時間当たりの発生個数のヒストグラム８３６ａを表示するとともに、所定のマーク８３６ｂを表示することによってＳＴ変化の発生時刻を示す。
【００６１】
また、ＳＴ変化表示欄８３６は、このＳＴ変化の発生時刻の拡大波形８３６ｃを表示するとともに、所定のマーク８３６ｄを表示することにより、拡大波形におけるＳＴ変化の発生が認められた部分を示す。なお、ＳＴに変化が有っても、その変化は虚血性を示す変化とは限らない。
【００６２】
また、グラフ表示部８３０は、各グラフに、イベントボタンの押下時刻に対応する網掛け８３０ａを表示する。これにより、医師や患者７００は、イベントボタンの押下時刻に所定の現象が発生したか否かを容易に確認することができる。
【００６３】
付加情報表示部８４０は、心臓の前額面図や、心電図に関するコメント文を表示する。心臓の全額面図の画像データおよびコメント文のテキストデータは、例えば、予め記憶部３４０に格納されている。付加情報表示部８４０は、コメント文として、複数パターンのテキスト文の例の中から解析部３１２の解析結果に対応するものを表示してもよいし、キーボード４００の操作によって医師が例文を編集したテキスト文や新規で入力したテキスト文を表示してもよい。
【００６４】
なお、心室期外収縮の拍数と心室期外収縮表示欄８３５のように、心拍情報表示部８２０に表示される心拍情報と、グラフ表示部８３０に表示されるグラフ情報とは、内容が対応している。したがって、心電図解析レポート８００は、この対応する表示項目に、同一の色の着色、線による連結、配置位置の対応付け等、関係性を示す情報を付加していることが望ましい。
【００６５】
また、患者７００への視覚的負担を軽減し、かつ、重要部分を強調色により目立つようにするため、心電図解析レポート８００は、全体的に淡い色彩で構成されることが望ましい。
【００６６】
このように、心電図解析レポート８００は、必要な情報を、心電図の検査結果を把握するのに適した順序で見ることができるような配置で、表示する。また、印刷後の取り扱いが容易となるように、画像構成部３１３が用いるレポート構成データは、例えば、印刷時にＡ４横の用紙１枚に心電図解析レポート８００全体を収める内容となっている。
【００６７】
画像構成部３１３は、生成した心電図解析レポート８００の画像データを、ディスプレイＩ／Ｆ３５０を介してディスプレイ５００に送信して、心電図解析レポート８００を表示させる。そして、画像構成部３１３は、キーボード４００のオペレータ操作に従って、心電図解析レポート８００の画像データを、プリンタＩ／Ｆ３６０を介してプリンタ６００に送信し、心電図解析レポート８００を印刷させる。ここで、画像構成部３１３は、キーボード４００のオペレータ操作に従って、心電図解析レポート８００に対する編集をオペレータから受け付け、編集後の心電図解析レポート８００を印刷するようにしてもよい。
【００６８】
このような心電図解析装置３００によれば、総心拍数や最大心拍数等の心拍情報と、心電図に所定の現象が発生した時刻の周辺について抜粋した心電図という、必要最小限な情報に絞られたコンパクトな心電図解析レポート８００を生成することができる。また、心電図解析装置３００によれば、内容把握を容易にするような配置で表示する心電図解析レポートを生成することができる。図８は、従来の心電図解析レポートに対して、本実施の形態に係る心電図解析レポート８００がより見易くコンパクトな構成となっていることを示す図である。
【００６９】
ここで、本実施の形態に係る心電図解析レポート８００の構成が、患者７００の内容把握を容易にするものである理由について説明する。
【００７０】
通常、医師は、まず、心臓がどのように拍動しているか、またどのような不整脈があり、それは問題があるのか否か、患者７００の心臓の動きの概要から説明し、その後、心電図を用いた詳細な説明へと話を進める。これは、心電図の知識の無い患者７００に対して冒頭から心電図の説明を行うと、内容が難しく、患者７００に抵抗感を与える可能性があるためである。このような段階を追った説明手順により、患者７００は、抵抗無く医師の説明を受け入れ、内容も容易に理解することができる。
【００７１】
例えば、図７の心電図解析レポート８００を用いたときの医師による検査結果の具体的な説明順序は、以下の通りである。ここで、各説明において参照するべき心電図解析レポート８００の表示項目を、括弧書きで併記する。
【００７２】
まず、医師は、本人確認を行うために患者７００に対して氏名等の確認を行い（識別情報）、次いで、心臓が一日に１０万拍以上も拍動していること、および患者７００の心拍数のレベルについての説明を行う（総脈拍数、平均心拍数、最大心拍数、最小心拍数）。そして、医師は、不整脈の発生回数のレベルについての説明を行い（上室期外収縮の拍数、心室期外収縮の拍数、ＳＴ変化の回数）、更に患者７００がイベントボタンを押下した回数について言及する（イベントボタンの押下回数）。
【００７３】
そして、医師は、解析対象時間における患者７００の行動と、イベントボタンの押下時刻および検出された不整脈の発生時刻との時間的関係についての説明、並びに発生した不整脈のレベルについての説明を行う（グラフ表示部８３０）。
【００７４】
具体的には、まず、心臓の上半分に出現する不整脈について説明し（上室期外収縮表示欄８３４）、より重度に取り扱うべき心臓の下半分に出現する不整脈について説明し（心室期外収縮表示欄８３５）、次いで、虚血の診断を行うためにＳＴの変化について説明する（ＳＴ変化表示欄８３６）。そして、医師は、イベントボタンの押下時刻において心電図上では異常が認められない場合、およびイベントボタンの押下時刻において心電図上でも異常が認められる場合には、その旨についての説明を行う（イベントボタン表示欄８３２、各グラフ）。
【００７５】
図７から明らかなように、心電図解析レポート８００において、上述の説明において参照すべき各表示項目は、画面の左から右、上から下へと、説明順序に対応する順序で配置されている。また、人間工学的に、人の視点は、左から右へ、上から下へと向かう方向においてよりスムーズに動くことが知られている。したがって、本実施の形態に係る心電図解析レポート８００を用いることにより、心電図の検査結果の説明および把握が容易となり、患者７００が心電図の検査結果を容易に理解することが可能となる。
【００７６】
次に、心電図解析装置３００の動作について説明する。
【００７７】
図９は、心電図解析装置３００の動作を示すフローチャートである。
【００７８】
まず、ステップＳ２１００において、心電図取得部３１１は、解析対象となる心電図データ（解析対象時間に患者７００から取得された心電図データ）を、心電図記録器２００から取得し、取得した心電図データを、記憶部３４０に格納する。
【００７９】
そして、ステップＳ２２００において、解析部３１２は、心電図データを解析し、心拍情報を取得する。ここでは、解析部３１２は、心拍情報として、総心拍数、平均心拍数、最大心拍数、最小心拍数、上室期外収縮、心室期外収縮、ＳＴ変化、およびイベントボタンを取得するものとする。
【００８０】
そして、ステップＳ２３００において、解析部３１２は、現象解析処理を実行する。現象解析処理は、心電図データから現象発生時刻を取得するとともに、心電図の表示の対象とする発生現象を選択する処理である。
【００８１】
図１０は、現象解析処理を示すフローチャートであり、図９のステップＳ２３００に対応するものである。
【００８２】
ここで、心電図解析レポート８００は、グラフ表示部８３０において、図７に示すグラフ情報のうち、行動記録表示欄８３１、イベントボタン表示欄８３２、および心拍表示欄８３３を、デフォルトで表示するものとする。そして、心電図解析レポート８００は、上室期外収縮表示欄８３４、心室期外収縮表示欄８３５、およびＳＴ変化表示欄８３６のうち、解析部３１２が表示することを決定したグラフ情報を、追加して表示するものとする。
【００８３】
心電解析レポートが追加で表示するグラフ情報を上からの表示順序で示す識別番号を、Ｎとする。また、心電解析レポートが追加で表示するグラフ情報の数の上限を、３とする。
【００８４】
まず、ステップＳ２３０１において、解析部３１２は、通常の不整脈自動解析を、心電図データ全体に対して行う。これにより、解析部３１２は、上室性不整脈（上室期外収縮）の有無および発生時刻と、心室性不整脈（心室期外収縮）の有無および発生時刻と、ＳＴ変化の有無および発生時刻と、最大心拍数の発生時刻と、最小心拍数の発生時刻と、ＳＴ最小値の発生時刻とを解析する。
【００８５】
ＳＴ変化の解析は、例えば、以下のように行われる。解析部３１２は、ＳＴ変化の解析、心拍やＱＲＳ波の変化を考慮して、ＳＴ変化が虚血性を示すものか体動によるものかを区別する。そして、解析部３１２は、虚血らしいＳＴ変化のみを抽出し、抽出したＳＴ変化の波形の中から、ＳＴ計測の基準点（通常、ＱＲＳ波の開始点）の電位とＳＴ計測点の電位との差が最大となる時刻および最小となる時刻を、ＳＴ最大値の発生時刻およびＳＴ最小値の発生時刻と判断する。
【００８６】
なお、解析部３１２は、ＳＴ変化の解析を行うか否かを任意に選択するようにしてもよい。また、解析部３１２は、虚血性を示すＳＴ変化が認められない場合、またはＳＴ解析を行わない場合には、単純にＳＴ計測の基準点（通常、ＱＲＳ波の開始点）の電位とＳＴ計測点の電位との差が最大となる時刻および最小となる時刻を、ＳＴ最大値の発生時刻およびＳＴ最小値の発生時刻と判断してもよい。
【００８７】
そして、ステップＳ２３０２において、解析部３１２は、識別番号Ｎに初期値「１」を設定する。
【００８８】
そして、ステップＳ２３０３において、解析部３１２は、上室性不整脈が発生したか否かを判断する。解析部３１２は、上室性不整脈が発生した場合には（Ｓ２３０３：ＹＥＳ）、ステップＳ２３０４へ進み、上室性不整脈が発生していない場合には（Ｓ２３０３：ＮＯ）、後述のステップＳ２３０６へ進む。
【００８９】
ステップＳ２３０４において、解析部３１２は、上室性不整脈の発生時刻を取得し、その発生時刻の拡大波形を、現在の識別番号Ｎの値に対応する表示対象として決定する。解析部３１２は、複数の時刻において上室性不整脈が発生している場合は、いずれか１つの時刻の拡大波形を決定する。
【００９０】
具体的には、解析部３１２は、例えば、複数の発生時刻や波形を選択肢として表示し、代表する発生時刻の選択をオペレータから受け付け、選択された時刻を表示対象として登録する。解析部３１２は、複数の時刻において上室性不整脈が発生している場合であって、表示対象となる時刻が特に登録されていない場合には、最初の発生時刻を表示対象に決定してもよい。
【００９１】
このとき、解析部３１２は、患者７００が心電図の検査結果をより把握し易い波形を決定することが望ましい。このために、例えば、解析部３１２は、事前に、過去に患者７００から取得された上室性不整脈の波形を選択肢として表示し、波形の選択をオペレータから受け付け、選択された波形を拡大波形に決定してもよい。より把握し易い波形とは、例えば、専門知識が無くても理解しやすい重症度の低い不整脈の波形や、基線動揺といったアーチファクトの混入の少ない波形である。重症度とは、例えば、心室期外収縮の場合、Ｌｏｗｎ分類によって分類される重症度である。
【００９２】
なお、心電図解析レポート８００は、必要に応じて、キーボード４００操作による編集を受け付け、より重症度の高い箇所の心電図を抜粋表示するようにしてもよい。
【００９３】
そして、ステップＳ２３０５において、解析部３１２は、識別番号Ｎに値「１」を加算する。
【００９４】
次に、ステップＳ２３０６において、解析部３１２は、心室性不整脈が発生したか否かを判断する。解析部３１２は、心室性不整脈が発生した場合には（Ｓ２３０６：ＹＥＳ）、ステップＳ２３０７へ進み、心室性不整脈が発生していない場合には（Ｓ２３０６：ＮＯ）、後述のステップＳ２３０９へ進む。
【００９５】
ステップＳ２３０７において、解析部３１２は、心室性不整脈の発生時刻を取得し、その発生時刻の拡大波形を、現在の識別番号Ｎの値に対応する表示対象として決定する。解析部３１２は、複数の時刻において心室性不整脈が発生している場合は、上室性不整脈の場合と同様の手法により、いずれか１つの時刻の拡大波形を決定する。
【００９６】
そして、ステップＳ２３０８において、解析部３１２は、識別番号Ｎに値「１」を加算する。
【００９７】
次に、ステップＳ２３０９において、解析部３１２は、ＳＴ変化が発生したか否かを判断する。解析部３１２は、ＳＴ変化が発生した場合には（Ｓ２３０９：ＹＥＳ）、ステップＳ２３１０へ進み、ＳＴ変化が発生していない場合には（Ｓ２３０９：ＮＯ）、後述のステップＳ２３１２へ進む。
【００９８】
ステップＳ２３１０において、解析部３１２は、ＳＴ変化の発生時刻を取得し、その発生時刻の拡大波形を、現在の識別番号Ｎの値に対応する表示対象として決定する。解析部３１２は、複数の時刻においてＳＴ変化が発生している場合は、上室性不整脈の場合と同様の手法により、いずれか１つの時刻の拡大波形を決定してもよいし、ＳＴ計測点の電位が最大となる時刻や最小となる時刻を、表示対象に決定してもよい。
【００９９】
そして、ステップＳ２３１１において、解析部３１２は、識別番号Ｎに値「１」を加算する。
【０１００】
そして、ステップＳ２３１２において、解析部３１２は、識別番号Ｎが値「４」未満か否か、つまり、表示するグラフ情報の数の上限に達していないか否かを判断する。解析部３１２は、識別番号Ｎが値「４」未満である場合には（Ｓ２３１２：ＹＥＳ）、ステップＳ２３１３へ進み、識別番号Ｎが値「４」に達している場合には（Ｓ２３１２：ＮＯ）、そのまま現象解析処理を終了する。
【０１０１】
そして、ステップＳ２３１３において、解析部３１２は、最大心拍数、最小心拍数、またはＳＴ最小値の発生時刻を取得し、その発生時刻の拡大波形を、現在の識別番号Ｎの値に対応する表示対象として決定して、現像解析処理を終了する。なお、解析部３１２は、表示するグラフ情報の数の上限を超えない範囲で、最大心拍数、最小心拍数、およびＳＴ最小値のうち複数を、拡大波形の表示対象として決定してもよい。
【０１０２】
このようにして現象解析処理が完了すると、図９のステップＳ２４００において、画像構成部３１３は、レポート構成データ、および解析部３１２による解析結果に基づいて、心電図解析レポート８００の画像データを生成する。そして、心電図解析装置３００は、生成した画像データを、ディスプレイ５００またはプリンタ６００において出力させる。
【０１０３】
このような動作により、心電図解析装置３００は、最小限の必要な情報を記載した心電図解析レポート８００を作成することができる。
【０１０４】
なお、生成される心電図解析レポート８００の記載項目は、現象解析処理による解析結果によって異なる。
【０１０５】
以下、様々なケースにおける心電図解析レポート８００の具体例について、図を参照して説明する。いずれの図も、図７に対応し、図７と同一部分には同一符号を付す。
【０１０６】
図１１は、数拍の不整脈が有るがＳＴ変化は無いケースの心電図解析レポート８００の一例を示す図である。
【０１０７】
この場合、ＳＴ変化表示欄８３６として表示すべき対象が無い。したがって、心電図解析レポート８００は、ＳＴ変化表示欄８３６を表示せず、不正脈ではないが特徴ある正常な心電図の例として最大心拍数（の発生時の拡大波形）表示欄８３７を表示する。
【０１０８】
最大心拍数表示欄８３７は、行動記録表示欄８３１の時間軸に沿って所定のマーク８３７ａを表示することにより、最大心拍数の発生時刻を示す。また、最大心拍数表示欄８３７は、この最大心拍数の発生時刻の拡大波形８３７ｂを表示する。
【０１０９】
図１２は、イベントボタンが押下されなかったケースの心電図解析レポート８００の一例を示す図である。
【０１１０】
この場合、心電図解析レポート８００は、イベントボタンの押下時刻を示すマークや網掛け８３０ａを表示しない。
【０１１１】
図１３は、イベントボタンが多数回押下されたケースの心電図解析レポート８００の一例を示す図である。
【０１１２】
上述のように、マーク８３２ａの最小表示間隔において複数の現象発生時刻が存在する場合には、その区間においては代表時刻についてのみマーク８３２ａを表示する。しかし、心拍情報表示部８２０には、マーク表示が省略された分の押下回数も含めて、イベントボタンの押下回数の総計が表示される。
【０１１３】
この例では、医師は、イベントボタンが押下されたところで特に異常が認められず、患者７００が覚えた自覚症状は心疾患と関係が無いものである可能性が高い旨を、容易に説明することができる。
【０１１４】
通常、医師は、自覚症状を覚えた患者７００からの主訴に基づき、まず安静時心電図を取り、安静時心電図からは異常が認められない場合に、ホルター心電図検査を行う。しかし、例えば、不安神経症の部分症状である神経循環無力症（neurocirculatory asthenia：ＮＣＡ）の患者７００の場合、強く自覚症状を覚えるにもかかわらず、ホルター心電図検査では特に有意な変化や異常が認められないという結果となる。
【０１１５】
このような場合に、本実施の形態に係る心電図解析レポート８００を用いることにより、自覚症状を覚えた時刻において心電図上の異常が見られないことを、患者７００に分かりやすく説明することができ、患者７００を安心させることができる。
【０１１６】
図１４は、上室期外収縮は有るが心室期外収縮およびＳＴ変化は無いケースの心電図解析レポート８００の一例を示す図である。
【０１１７】
この場合、心室期外収縮表示欄８３５およびＳＴ変化表示欄８３６として表示すべき対象が無い。したがって、心電図解析レポート８００は、心室期外収縮表示欄８３５およびＳＴ変化表示欄８３６を表示せず、不正脈ではないが特徴ある正常な心電図の例として最大心拍数表示欄８３７および最小心拍数（の発生時の拡大波形）表示欄８３８を表示する。
【０１１８】
最小心拍数表示欄８３８は、行動記録表示欄８３１の時間軸に沿って所定のマーク８３８ａを表示することにより、最小心拍数の発生時刻を示す。また、最小心拍数表示欄８３８は、この最小心拍数の発生時刻の拡大波形８３８ｂを表示する。
【０１１９】
図１５は、上室期外収縮、心室期外収縮、およびＳＴ変化のいずれも無いケースの心電図解析レポート８００の一例を示す図である。
【０１２０】
この場合、上室期外収縮表示欄８３４、心室期外収縮表示欄８３５、およびＳＴ変化表示欄８３６として表示すべき対象が無い。したがって、心電図解析レポート８００は、上室期外収縮表示欄８３４、心室期外収縮表示欄８３５、およびＳＴ変化表示欄８３６を表示せず、正常な心電図の例として最大心拍数表示欄８３７、最小心拍数表示欄８３８、およびＳＴ最小値（の発生時の拡大波形）表示欄８３９を表示する。
【０１２１】
ＳＴ最小値表示欄８３９は、行動記録表示欄８３１の時間軸に沿って所定のマーク８３９ａを表示することにより、ＳＴ最小値の発生時刻を示す。また、ＳＴ最小値表示欄８３９は、このＳＴ最小値の発生時刻の拡大波形８３９ｂを表示する。
【０１２２】
この例では、医師は、ＳＴが最も下がったところでも虚血性を示すＳＴ変化が認められない旨を、容易に説明することができる。
【０１２３】
図１６は、付加情報表示部８４０にコメント文を表示したケースの心電図解析レポート８００の一例を示す図である。
【０１２４】
コメント文は、上述の通り、予め用意された例文、例文を編集したテキスト文、手入力によるテキスト文である。
【０１２５】
このように、心電図解析レポート８００は、解析結果および報告の目的に応じて、様々な形態を取ることができる。
【０１２６】
なお、心電図解析レポート８００は、識別情報表示部８１０の右に心拍情報表示部８２０を配置したり、心拍情報表示部８２０の下にグラフ表示部８３０を配置してもよい。また、心拍情報欄は、複数の心拍情報を、上述の順序で右方向へ並べて配置してもよい。更に、グラフ表示部８３０は、縦方向に伸びる時間軸を採用してもよく、この場合には、複数のグラフ情報を、右方向へ並べて配置することが望ましい。
【０１２７】
図１７は、Ａ４縦の用紙１枚に表示するケースの心電図解析レポート８００の一例を示す図である。
【０１２８】
この場合、心電図解析レポート８００は、例えば、画面の左上隅に識別情報表示部８１０を配置し、識別情報表示部８１０の右に心拍情報表示部８２０を配置し、心拍情報表示部８２０の下にグラフ表示部８３０を配置している。
【０１２９】
このような配置の心電図解析レポート８００によっても、検査結果報告を容易とすることができる。但し、人間工学的に、視線は、上下方向よりも左右方向のほうがスムーズに動くことが知られている。したがって、図１７に示す縦配置の心電図解析レポート８００よりも、図７等に示す横配置の心電図解析レポート８００のほうが好ましい。
【０１３０】
以上説明したように、本実施の形態に係る心電図解析レポートは、必要最低限の有益な情報に絞って表示するので、理解し易くかつコンパクトな構成とすることができる。
【０１３１】
また、本実施の形態に係る心電図解析レポートは、教科書的な波形例ではなく、患者自身の拡大波形を表示するので、患者にとってより有益な内容とすることができる。
【０１３２】
また、本実施の形態に係る心電図解析レポートは、拡大波形だけでなく、心拍のトレンドグラフ等の他の有益な情報を配置している。更に、その配置は、左から右へ、上から下へと視点が動きやすい配置となっており、医師が患者に対して順を追って説明するのに適している。したがって、患者は、心電図の検査結果を容易に理解することができる。
【０１３３】
なお、本実施の形態では、本発明をホルター心電図の解析に適用した例について説明したが、本発明は、携帯型心電図の解析等、他の各種の心電図の解析に適用することが可能であることは勿論である。
【符号の説明】
【０１３４】
１００  心電図解析システム
２００  心電図記録器
３００  心電図解析装置
３１０  制御部
３１１  心電図取得部
３１２  解析部
３１３  画像構成部
３２０  キーボードＩ／Ｆ
３３０  記録器Ｉ／Ｆ
３４０  記憶部
３５０  ディスプレイＩ／Ｆ
３６０  プリンタＩ／Ｆ
４００  キーボード
５００  ディスプレイ
６００  プリンタ
７００  患者
８００  心電図解析レポート
８１０  識別情報表示部
８２０  心拍情報表示部
８３０  グラフ表示部
８３１  行動記録表示欄
８３２  イベントボタン表示欄
８３３  心拍表示欄
８３４  上室期外収縮表示欄
８３５  心室期外収縮表示欄
８３６  ＳＴ変化表示欄
８３７  最大心拍数表示欄
８３８  最小心拍数表示欄
８３９  ＳＴ最小値表示欄
８４０  付加情報表示部
【図１】
2010233953.tif 000003
【図２】
2010233953.tif 000004
【図３】
2010233953.tif 000005
【図４】
2010233953.tif 000006
【図５】
2010233953.tif 000007
【図６】
2010233953.tif 000008
【図８】
2010233953.tif 000009
【図９】
2010233953.tif 000010
【図１０】
2010233953.tif 000011
【図１７】
2010233953.tif 000012
【図７】
2010233953.tif 000013
【図１１】
2010233953.tif 000014
【図１２】
2010233953.tif 000015
【図１３】
2010233953.tif 000016
【図１４】
2010233953.tif 000017
【図１５】
2010233953.tif 000018
【図１６】
2010233953.tif 000019